(57)【要約】【課題】  印刷終了後、ユーザによる排出用紙の取り忘れを防止することができ、併せて、つり銭や領収書の取り忘れも防止できるようにする。【解決手段】  プリンタ１７の排出トレイ１７１上部には、該プリンタ１７での画像印刷後に排出される用紙が排出トレイ１７１上にあるか否かを検出する排出用紙検出センサ１７２が設けられる。制御部１５は、表示／操作部１３に表示されるＵＩ画面上での操作に基づく印刷動作の実行中、例えば、最終印刷後の用紙が排出されたこと等の特定動作条件を認識し、該特定動作条件に対応して排出用紙検出センサ１７２の検出出力を用いて排出用紙の取り忘れがあるか否かの確認処理を行い、排出用紙の取り忘れが確認された場合には、表示／操作部１３に警告メッセージを表示し、排出用紙の取り忘れがある旨を報知する。【選択図】  図１
2005082339.tif 000002
【特許請求の範囲】
【請求項１】
用紙に画像を印刷し、該画像を印刷した用紙を排出トレイに排出する画像形成装置において、
前記排出トレイ上に排出された排出用紙の有無を検出する排出用紙検出手段と、
印刷開始操作後における特定の動作条件に対応して、前記排出用紙の取り忘れがあるか否かを前記排出用紙検出手段の検出結果に基づき確認する確認処理を行う排出用紙取り忘れ確認手段と、
前記排出用紙取り忘れ確認手段により排出用紙の取り忘れが確認された場合、その旨を報知する報知手段と
を具備することを特徴とする画像形成装置。
【請求項２】
前記排出用紙取り忘れ確認手段は、
最終印刷後の用紙の排出に対応して前記確認処理を行う
ことを特徴とする請求項１記載の画像形成装置。
【請求項３】
前記排出用紙取り忘れ確認手段は、
最終印刷の処理の終了に対応して前記確認処理を行う
ことを特徴とする請求項１記載の画像形成装置。
【請求項４】
印刷終了後、操作画面上に、終了を指示する終了ボタンを表示する表示制御手段
を具備し、
前記排出用紙取り忘れ確認手段は、
前記終了ボタンの押下に対応して前記確認処理を行う
ことを特徴とする請求項１記載の画像形成装置。
【請求項５】
印刷終了後、操作画面の表示を印刷メニュー画面に戻す表示制御手段
を具備し、
前記排出用紙取り忘れ確認手段は、
前記印刷メニュー画面に戻されたことに対応して前記確認処理を行う
ことを特徴とする請求項１記載の画像形成装置。
【請求項６】
印刷動作中、操作画面上に、印刷中止を指示する印刷中止ボタンを表示する表示制御手段
を具備し、
前記排出用紙取り忘れ確認手段は、
前記印刷中止ボタンの押下に対応して前記確認処理を行う
ことを特徴とする請求項１記載の画像形成装置。
【請求項７】
印刷終了後、操作画面上での領収書発行指示に基づき領収書を発行する領収書発行手段
を具備し、
前記排出用紙取り忘れ確認手段は、
前記領収書の発行に対応して前記確認処理を行う
ことを特徴とする請求項１記載の画像形成装置。
【請求項８】
事前に投入された金銭から、印刷枚数に応じた課金分を減算して逐次残額を算出する課金処理を行う課金手段
を具備し、
前記排出用紙取り忘れ確認手段は、
前記課金手段により算出された残額が無くなったことに対応して前記確認処理を行う
ことを特徴とする請求項１記載の画像形成装置。
【請求項９】
記録媒体を着脱可能な記録媒体読取ユニットに装着された記録媒体から画像データを読取る媒体読取手段と、
操作画面上に、前記媒体読取手段により読取られた画像データの中のいずれかを任意に選択して印刷指示する選択印刷指示画面を表示する表示制御手段と、
前記記録媒体読取ユニットから前記記録媒体が抜かれたことを認識する認識手段と
を更に具備し、
前記排出用紙取り忘れ確認手段は、
印刷動作の終了後、前記記録媒体が前記記録媒体読取ユニットから抜かれたことに対応して前記確認処理を行う
ことを特徴とする請求項１記載の画像形成装置。
【請求項１０】
事前に投入された金銭から、印刷枚数に応じた課金分を減算して逐次残額を算出する課金処理を行い、印刷終了後、前記残額があった場合に該残額をつり銭として払い出す課金手段と、
印刷終了後、前記操作画面上での領収書発行指示に基づき、前記課金処理結果に応じた領収書を発行する領収書発行手段と、
前記排出トレイに付設され、前記課金手段のつり銭排出経路に連結されるつり銭排出口と、
前記排出トレイに付設され、前記領収書発行手段の領収書排出経路に連結される領収書排出口と
を具備し、
前記排出トレイに、前記つり銭または前記領収書のうちの少なくともいずれか一方を前記印刷後の用紙と共に排出する
ことを特徴とする請求項１記載の画像形成装置。
【請求項１１】
記録媒体読取ユニットに記録媒体を装着し、該記録媒体に記録された情報の印刷を行う画像形成装置において、
前記排出トレイ上に排出された排出用紙の有無を検出する排出用紙検出手段と、
前記記録媒体が前記ユニットから抜かれたことを認識する認識手段と、
前記認識手段により前記記録媒体が抜かれたことが認識されるのに対応して、前記排出用紙の取り忘れがあるか否かを前記排出用紙検出手段の検出結果に基づき確認する確認処理を行う排出用紙取り忘れ確認手段と、
前記排出用紙取り忘れ確認手段により排出用紙の取り忘れが確認された場合、その旨を報知する報知手段と
を具備することを特徴とする画像形成装置。
【請求項１２】
用紙に画像を印刷し、該画像を印刷した用紙を排出トレイに排出する画像形成装置において、
事前に投入された金銭から、印刷枚数に応じた課金分を減算して逐次残額を算出する課金処理を行い、印刷終了後、前記残額があった場合に該残額をつり銭として払い出す課金手段と、
前記排出トレイに付設され、前記課金手段のつり銭排出経路に連結されるつり銭排出口と
を具備し、
前記排出トレイに、画像印刷後の用紙とつり銭を排出する
ことを特徴とする画像形成装置。
【請求項１３】
用紙に画像を印刷し、該画像を印刷した用紙を排出トレイに排出する画像形成装置において、
印刷終了後、領収書発行指示に基づき領収書を発行する領収書発行手段と、
前記排出トレイに付設され、前記領収書発行手段の領収書排出経路に連結される領収書排出口と
を具備し、
前記排出トレイに、前記画像印刷後の用紙と前記領収書を排出する
ことを特徴とする画像形成装置。
【請求項１４】
用紙に画像を印刷し、該画像を印刷した用紙を排出トレイに排出する画像形成装置の排出用紙取り忘れ防止制御方法において、
前記排出トレイ上に排出された排出用紙の有無を検出する排出用紙検出ステップと、
印刷開始操作後における特定の動作条件に対応して、前記排出用紙の取り忘れがあるか否かを前記排出用紙検出ステップでの検出結果に基づき確認する確認処理を行う排出用紙取り忘れ確認ステップと、
前記排出用紙取り忘れ確認ステップにより排出用紙の取り忘れが確認された場合、その旨を報知する報知ステップと
を有することを特徴とする排出用紙取り忘れ防止制御方法。
【請求項１５】
前記排出用紙取り忘れ確認ステップでは、
最終印刷後の用紙の排出に対応して前記確認処理を行う
ことを特徴とする請求項１４記載の排出用紙取り忘れ防止制御方法。
【請求項１６】
前記排出用紙取り忘れ確認ステップでは、
最終印刷の処理の終了に対応して前記確認処理を行う
ことを特徴とする請求項１４記載の排出用紙取り忘れ防止制御方法。
【請求項１７】
印刷終了後、操作画面上に、終了を指示する終了ボタンを表示する表示制御ステップ
を有し、
前記排出用紙取り忘れ確認ステップでは、
前記終了ボタンの押下に対応して前記確認処理を行う
ことを特徴とする請求項１４記載の排出用紙取り忘れ防止制御方法。
【請求項１８】
印刷終了後、操作画面の表示を印刷メニュー画面に戻す表示制御ステップ
を有し、
前記排出用紙取り忘れ確認ステップでは、
前記印刷メニュー画面に戻されたことに対応して前記確認処理を行う
ことを特徴とする請求項１４記載の排出用紙取り忘れ防止制御方法。
【請求項１９】
印刷動作中、操作画面上に、印刷中止を指示する印刷中止ボタンを表示する表示制御ステップ
を有し、
前記排出用紙取り忘れ確認ステップでは、
前記印刷中止ボタンの押下に対応して前記確認処理を行う
ことを特徴とする請求項１４記載の排出用紙取り忘れ防止制御方法。
【請求項２０】
印刷終了後、操作画面上での領収書発行指示に基づき領収書を発行する領収書発行ステップ
を有し、
前記排出用紙取り忘れ確認ステップでは、
前記領収書が発行されたことに対応して前記確認処理を行う
ことを特徴とする請求項１４記載の排出用紙取り忘れ防止制御方法。
【請求項２１】
事前に投入された金銭から、印刷枚数に応じた課金分を減算して逐次残額を算出する課金処理を行う課金処理ステップ
を有し、
前記排出用紙取り忘れ確認ステップでは、
前記排出用紙取り忘れ確認ステップにより算出された残額が無くなったことに対応して前記確認処理を行う
ことを特徴とする請求項１４記載の排出用紙取り忘れ防止制御方法。
【請求項２２】
記録媒体を着脱可能な記録媒体読取ユニットに装着された前記記録媒体から画像データを読取る媒体読取ステップと、
操作画面上に、前記媒体読取ステップで読取られた画像データの中のいずれかを任意に選択して印刷指示する選択印刷指示画面を表示する表示制御ステップと
を更に有し、
前記排出用紙取り忘れ確認ステップでは、
前記排出用紙取り忘れ確認手段は、
印刷動作の終了後、前記記録媒体が前記記録媒体読取ユニットから抜かれたことに対応して前記確認処理を行う
ことを特徴とする請求項１４記載の排出用紙取り忘れ防止制御方法。
【発明の詳細な説明】
【技術分野】
【０００１】
本発明は、表示並びに入力機能を有する操作画面上での印刷指示操作に基づき用紙に画像を印刷し、排出トレイに排出する画像形成装置に係わり、詳しくは、排出トレイに排出された排出用紙の取り忘れを防止する制御機能を有する画像形成装置及びその排出用紙取り忘れ防止制御方法に関する。
【背景技術】
【０００２】
今日、例えば、コンビニエンスストア等に設置され、原稿をコピーする等の印刷サービスを提供する画像形成装置が知られている。
【０００３】
この種の画像形成装置を利用する際、ユーザは、持ち込んだ原稿を原稿読取位置にセットしたうえで、表示並びに入力機能を有する操作画面上でコピーに必要な一連のユーザ操作を行なって印刷（コピー）を実施し、その際、印刷枚数等に応じて課金されるサービス料金を課金装置に入金することで印刷サービスを受けられるようになっている。
【０００４】
このような印刷サービスを提供する画像形成装置の場合、印刷終了後、原稿を取り出しただけで、印刷後に排出トレイに排出される用紙（排出用紙）の取り出しを忘れてしまったり、あるいは、課金装置から払い出されるつり銭に気を取られて、原稿も排出用紙も取り忘れてしまうといった危険性がある。
【０００５】
こうした背景から、この種の従来の画像形成装置の中には、例えば、下記特許文献１に記載されるように、課金処理終了時に原稿センサにより原稿の有無をチェックし、取り忘れの場合には警告音を発生する機能を備えたものがあった。
【特許文献１】特開平０５−５３３８５号公報
【発明の開示】
【発明が解決しようとする課題】
【０００６】
上記従来の画像形成装置では、課金終了時、原稿センサによって原稿を検知した場合に原稿の取り忘れを警告することで、原稿の取り忘れを防止できる。  
しかしながら、ユーザがコピーした印刷物（排出用紙）についてはその取り忘れを防止する対策が何等講じられておらず、例えば、上記警告によって原稿の取り出しに夢中になって排出用紙を取り忘れてしまう危険性が高いという問題点があった。
【０００７】
本発明は上記問題点を解消し、印刷終了後、ユーザによる排出用紙の取り忘れを防止することができ、併せて、つり銭や領収書の取り忘れも防止できる画像形成装置及びその排出用紙取り忘れ防止制御方法を提供することを目的とする。
【課題を解決するための手段】
【０００８】
上記目的を達成するために、請求項１記載の発明は、用紙に画像を印刷し、該画像を印刷した用紙を排出トレイに排出する画像形成装置において、前記排出トレイ上に排出された排出用紙の有無を検出する排出用紙検出手段と、印刷開始操作後における特定の動作条件に対応して、前記排出用紙の取り忘れがあるか否かを前記排出用紙検出手段の検出結果に基づき確認する確認処理を行う排出用紙取り忘れ確認手段と、前記排出用紙取り忘れ確認手段により排出用紙の取り忘れが確認された場合、その旨を報知する報知手段とを具備することを特徴とする。
【０００９】
請求項２記載の発明は、上記請求項１記載の発明において、前記排出用紙取り忘れ確認手段は、最終印刷後の用紙の排出に対応して前記確認処理を行うことを特徴とする。
【００１０】
請求項３記載の発明は、上記請求項１記載の発明において、前記排出用紙取り忘れ確認手段は、最終印刷の処理の終了に対応して前記確認処理を行うことを特徴とする。
【００１１】
請求項４記載の発明は、上記請求項１記載の発明において、印刷終了後、操作画面上に、終了を指示する終了ボタンを表示する表示制御手段を具備し、前記排出用紙取り忘れ確認手段は、前記終了ボタンの押下に対応して前記確認処理を行うことを特徴とする。
【００１２】
請求項５記載の発明は、上記請求項１記載の発明において、印刷終了後、操作画面の表示を印刷メニュー画面に戻す表示制御手段を具備し、前記排出用紙取り忘れ確認手段は、
前記印刷メニュー画面に戻されたことに対応して前記確認処理を行うことを特徴とする。
【００１３】
請求項６記載の発明は、上記請求項１記載の発明において、印刷動作中、操作画面上に、印刷中止を指示する印刷中止ボタンを表示する表示制御手段を具備し、前記排出用紙取り忘れ確認手段は、前記印刷中止ボタンの押下に対応して前記確認処理を行うことを特徴とする。
【００１４】
請求項７記載の発明は、上記請求項１記載の発明において、印刷終了後、操作画面上での領収書発行指示に基づき領収書を発行する領収書発行手段を具備し、前記排出用紙取り忘れ確認手段は、前記領収書の発行に対応して前記確認処理を行うことを特徴とする。
【００１５】
請求項８記載の発明は、上記請求項１記載の発明において、事前に投入された金銭から、印刷枚数に応じた課金分を減算して逐次残額を算出する課金処理を行う課金手段を具備し、前記排出用紙取り忘れ確認手段は、前記課金手段により算出された残額が無くなったことに対応して前記確認処理を行うことを特徴とする。
【００１６】
請求項９記載の発明は、上記請求項１記載の発明において、記録媒体を着脱可能な記録媒体読取ユニットに装着された記録媒体から画像データを読取る媒体読取手段と、操作画面上に、前記媒体読取手段により読取られた画像データの中のいずれかを任意に選択して印刷指示する選択印刷指示画面を表示する表示制御手段と、前記記録媒体読取ユニットから前記記録媒体が抜かれたことを認識する認識手段とを更に具備し、前記排出用紙取り忘れ確認手段は、印刷動作の終了後、前記記録媒体が前記記録媒体読取ユニットから抜かれたことに対応して前記確認処理を行うことを特徴とする。
【００１７】
請求項１０記載の発明は、上記請求項１記載の発明において、事前に投入された金銭から、印刷枚数に応じた課金分を減算して逐次残額を算出する課金処理を行い、印刷終了後、前記残額があった場合に該残額をつり銭として払い出す課金手段と、印刷終了後、前記操作画面上での領収書発行指示に基づき、前記課金処理結果に応じた領収書を発行する領収書発行手段と、前記排出トレイに付設され、前記課金手段のつり銭排出経路に連結されるつり銭排出口と、前記排出トレイに付設され、前記領収書発行手段の領収書排出経路に連結される領収書排出口とを具備し、前記排出トレイに、前記つり銭または前記領収書のうちの少なくともいずれか一方を前記印刷後の用紙と共に排出することを特徴とする。
【００１８】
請求項１１記載の発明は、記録媒体読取ユニットに記録媒体を装着し、該記録媒体に記録された情報の印刷を行う画像形成装置において、前記排出トレイ上に排出された排出用紙の有無を検出する排出用紙検出手段と、前記記録媒体が前記ユニットから抜かれたことを認識する認識手段と、前記認識手段により前記記録媒体が抜かれたことが認識されるのに対応して、前記排出用紙の取り忘れがあるか否かを前記排出用紙検出手段の検出結果に基づき確認する確認処理を行う排出用紙取り忘れ確認手段と、前記排出用紙取り忘れ確認手段により排出用紙の取り忘れが確認された場合、その旨を報知する報知手段とを具備することを特徴とする。
【００１９】
請求項１２記載の発明は、用紙に画像を印刷し、該画像を印刷した用紙を排出トレイに排出する画像形成装置において、事前に投入された金銭から、印刷枚数に応じた課金分を減算して逐次残額を算出する課金処理を行い、印刷終了後、前記残額があった場合に該残額をつり銭として払い出す課金手段と、前記排出トレイに付設され、前記課金手段のつり銭排出経路に連結されるつり銭排出口とを具備し、前記排出トレイに、画像印刷後の用紙とつり銭を排出することを特徴とする。
【００２０】
請求項１３記載の発明は、用紙に画像を印刷し、該画像を印刷した用紙を排出トレイに排出する画像形成装置において、印刷終了後、領収書発行指示に基づき領収書を発行する領収書発行手段と、前記排出トレイに付設され、前記領収書発行手段の領収書排出経路に連結される領収書排出口とを具備し、前記排出トレイに、前記画像印刷後の用紙と前記領収書を排出することを特徴とする。
【００２１】
請求項１４記載の発明は、用紙に画像を印刷し、該画像を印刷した用紙を排出トレイに排出する画像形成装置の排出用紙取り忘れ防止制御方法において、前記排出トレイ上に排出された排出用紙の有無を検出する排出用紙検出ステップと、印刷開始操作後における特定の動作条件に対応して、前記排出用紙の取り忘れがあるか否かを前記排出用紙検出ステップでの検出結果に基づき確認する確認処理を行う排出用紙取り忘れ確認ステップと、前記排出用紙取り忘れ確認ステップにより排出用紙の取り忘れが確認された場合、その旨を報知する報知ステップとを有することを特徴とする。
【００２２】
請求項１５記載の発明は、上記請求項１４記載の発明において、前記排出用紙取り忘れ確認ステップでは、最終印刷後の用紙の排出に対応して前記確認処理を行うことを特徴とする。
【００２３】
請求項１６記載の発明は、上記請求項１４記載の発明において、前記排出用紙取り忘れ確認ステップでは、最終印刷の処理の終了に対応して前記確認処理を行うことを特徴とする。
【００２４】
請求項１７記載の発明は、上記請求項１４記載の発明において、印刷終了後、操作画面上に、終了を指示する終了ボタンを表示する表示制御ステップを有し、前記排出用紙取り忘れ確認ステップでは、前記終了ボタンの押下に対応して前記確認処理を行うことを特徴とする。
【００２５】
請求項１８記載の発明は、上記請求項１４記載の発明において、印刷終了後、操作画面の表示を印刷メニュー画面に戻す表示制御ステップを有し、前記排出用紙取り忘れ確認ステップでは、前記印刷メニュー画面に戻されたことに対応して前記確認処理を行うことを特徴とする。
【００２６】
請求項１９記載の発明は、上記請求項１４記載の発明において、印刷動作中、操作画面上に、印刷中止を指示する印刷中止ボタンを表示する表示制御ステップを有し、前記排出用紙取り忘れ確認ステップでは、前記印刷中止ボタンの押下に対応して前記確認処理を行うことを特徴とする。
【００２７】
請求項２０記載の発明は、上記請求項１４記載の発明において、印刷終了後、操作画面上での領収書発行指示に基づき領収書を発行する領収書発行ステップを有し、前記排出用紙取り忘れ確認ステップでは、前記領収書が発行されたことに対応して前記確認処理を行うことを特徴とする。
【００２８】
請求項２１記載の発明は、上記請求項１４記載の発明において、事前に投入された金銭から、印刷枚数に応じた課金分を減算して逐次残額を算出する課金処理を行う課金処理ステップを有し、前記排出用紙取り忘れ確認ステップでは、前記排出用紙取り忘れ確認ステップにより算出された残額が無くなったことに対応して前記確認処理を行うことを特徴とする。
【００２９】
請求項２２記載の発明は、上記請求項１４記載の発明において、記録媒体を着脱可能な記録媒体読取ユニットに装着された前記記録媒体から画像データを読取る媒体読取ステップと、操作画面上に、前記媒体読取ステップで読取られた画像データの中のいずれかを任意に選択して印刷指示する選択印刷指示画面を表示する表示制御ステップとを更に有し、前記排出用紙取り忘れ確認ステップでは、前記排出用紙取り忘れ確認手段は、印刷動作の終了後、前記記録媒体が前記記録媒体読取ユニットから抜かれたことに対応して前記確認処理を行うことを特徴とする。
【発明の効果】
【００３０】
本発明によれば、排出トレイ上に排出された排出用紙の有無を検出する排出用紙検出手段を設け、印刷開始操作後における特定の動作条件に対応して、排出用紙の取り忘れがあるか否かを排出用紙検出手段の検出結果に基づき確認する確認処理を行い、この確認処理により排出用紙の取り忘れが確認された場合には、その旨を報知するようにしたため、例えば、最終印刷後の用紙が排出されたことや、操作画面上で“終了”を指示する操作がなされたこと等の特定動作条件に対応して排出用紙の取り忘れを確認してその旨を報知することができ、印刷終了後にユーザが装置から離れるまでの間にユーザに排出用紙の取り忘れを報知して該排出用紙の取り忘れを防止することができる。
【００３１】
また、本発明では、排出トレイにつり銭排出口と領収書排出口を設け、印刷終了後、つり銭または領収書のうちの少なくともいずれか一方を印刷後の用紙（排出用紙）と共に排出トレイに排出するようにしたため、排出用紙のみならず、つり銭あるいは領収書の取り忘れ防止にも寄与する。
【発明を実施するための最良の形態】
【００３２】
以下、本発明の実施形態について添付図面を参照して詳細に説明する。
【００３３】
図１は、本発明に係る画像形成装置１００の全体構成を示すブロック図である。
【００３４】
特に、この画像形成装置１００は、例えば、コンビニエンスストア等に設置され、ユーザが持ち込んだ原稿のコピーや、ユーザが持ち込んだデジタルカメラ用の記録メディア〔スマートメディア、コンパクトフラッシュ（登録商標）、ＳＤメモリカード等〕５を用いた写真印刷等の印刷サービスを印刷枚数等に応じたサービス料金を支払うことで利用できる装置への適用例を示している。
【００３５】
この画像形成装置１００は、上記コピー対象の原稿の画像を読取る原稿読取部１１、上記記録メディア５を着脱（抜き差し）可能な機構を有し、該機構を介して差し込まれた記録メディア５から情報（メディアデータ）を読み取る記録媒体読取部（メディアリーダ）１２、コピーや写真印刷を行なうために必要な一連のユーザ操作を行なうユーザインタフェース（ＵＩ）部であって、コピー操作画面（コピー枚数、拡大／縮小、コピー開始等の指示ボタン等から成る）、写真印刷操作画面（写真選択、部数入力、編集指示、プリント開始等の指示ボタン等から成る）等のＵＩ画面の表示や、該ＵＩ画面上でのユーザ操作に対応する各種情報の入力を行なう表示／操作部１３、メディアリーダ１２によって記録メディア５から読取られるメディアデータやその他の各種情報を記憶する記憶部１４、上記各処理機能部並びに後述するプリンタ１７，課金装置１８及びレシートプリンタ１９を含む装置全体の制御を行う制御部１５、制御部１５の制御下で、表示／操作部１３のＵＩ画面（コピー操作画面）上でのコピー開始指示に基づき原稿読取部１１で読取られた原稿の画像データを用いて指定部数のコピー印刷を行うと共に、表示／操作部１３のＵＩ画面（写真印刷操作画面）上でのプリント開始指示に基づき記憶部１４から転送される写真画像データを用いて指定部数の写真を印刷するプリンタ１７、制御部１５の制御下で、プリンタ１７で印刷されるコピーまたは写真の枚数等に応じてサービス料金の課金処理を行なう課金装置１８、プリント終了後、ＵＩ画面上で領収書（レシート）発行指示があった場合に、課金装置１８での課金処理結果に基づき制御部１５で生成される領収書データを受け取って領収書（レシート）を印刷するレシートプリンタ１９を具備して構成される。
【００３６】
プリンタ１７には、印刷後の用紙を排出する排出トレイ上に排出用紙の有無を検出する排出用紙検出センサ１７２が設けられ、該排出用紙検出センサ１７２の検出出力は制御部１５に入力される。
【００３７】
図２は、図１における画像形成装置１００の外観構成を示す概念図であり、同図（ａ）が正面図、同図（ｂ）は同図（ａ）の側面図（但し、印刷ユニットＵ３、課金処理ユニットＵ４、レシートプリンタ１９のみの）を示している。
【００３８】
図２（ａ）に示すように、この画像形成装置１００は、図１における表示／操作部１３、記憶部１４、制御部１５に相当する各処理機能部等を実装した制御ユニットＵ１（例えば、ＰＣにより実現される）、図１におけるメディアリーダ１２に相当する処理機能部等を実装した記録媒体読取ユニットＵ２、図１における原稿読取部１１、プリンタ１７に相当する各処理機能部等を実装した印刷ユニットＵ３、図１における課金装置１８に相当する処理機能部等を実装した課金処理ユニットＵ４から構成される。
【００３９】
また、図２（ｂ）に示すように、この画像形成装置１００では、印刷ユニットＵ３を構成するプリンタ１７の排出トレイ１７１上部には、該プリンタ１７での画像印刷後に排出される用紙（排出用紙：コピー画像や写真が印刷された印刷物）が排出トレイ１７１上にあるか否かを検出する排出用紙検出センサ１７２が設けられている。
【００４０】
この排出用紙検出センサ１７２は、例えば、発光素子と受光素子から成る光学的センサや反射型の光学的センサにより実現できる。この他、機械的スイッチ等を用いて排出用紙の有無を検出する構成であっても良い。
【００４１】
また、排出トレイ１７１上の両側端部には、つり銭排出口１７３とレシート排出口１７４が設けられる。
【００４２】
つり銭排出口１７３は、課金処理ユニットＵ４内に実装される課金装置１８のつり銭排出経路（図示せず）に連結されている。
【００４３】
また、レシート排出口１７４は、プリンタ１７の排出トレイ１７１に近接して設置されるレシートプリンタ１９に対し、該レシートプリンタ１９内で印刷後のレシートを搬送するレシート排出経路（図示せず）を介して連結されている。
【００４４】
上記構造により、印刷終了後、課金装置１８から後述する課金処理結果に基づき払い出されるつり銭は、上記つり銭排出経路を通って、プリンタ１７の排出トレイ１７１に設けられたつり銭排出口１７３へと排出される。
【００４５】
また、印刷終了後、表示／操作部１３に表示されるＵＩ画面（後述する初期画面１３１）上で領収書の発行が指示された場合、該指示に基づきレシートプリンタ１９で印字された領収書は、上記レシート排出経路を通って、プリンタ１７の排出トレイ１７１に設けられたレシート排出口１７４へと排出される。
【００４６】
次に、この画像形成装置１００の基本運用操作について説明する。
【００４７】
この画像形成装置１００では、待機時、表示／操作部１３にメインメニュー画面が表示されており、該メインメニュー画面上で所定の操作を行うことにより、例えば、図３に示すような初期画面（印刷メニュー画面）１３１が切替え表示される。
【００４８】
この初期画面１３１には、“コピー”、“プリント”、“デジカメ”といった印刷サービス種別を選択する印刷メニューボタンと、これら印刷の終了を指示する“終了”ボタン、及び領収書（レシート）の発行を指示する“領収書”ボタン（領収書発行ボタン）が設けられている。
【００４９】
ユーザが、この画像形成装置１００を利用して例えばコピーを行う場合、事前に課金装置１８の料金投入口にサービス料金（コピー代）に足る金銭を投入し、原稿読取位置に原稿をセットした後、表示／操作部１３に表示される初期画面１３１上で“コピー”を選択し、次いで、該選択操作により表示されるコピー操作画面に従って当該コピーに必要な一連の設定操作（コピー部数、拡大／縮小指定、コピー開始指示）を行なう。
【００５０】
上記一連のコピー設定操作後、コピー開始指示が与えられると、制御部１５は、セットされた原稿を原稿読取部１１で読取り、該読取った画像データを印刷制御情報と共にプリンタ１７に送出する。
【００５１】
プリンタ１７は画像読取部１１から入力する画像データをその印刷制御情報に基づき用紙に印刷して排出トレイ１７１に排出する。
【００５２】
この印刷（コピー）動作中、制御部１５は、表示／操作部１３のＵＩ画面上に、例えば図４（ａ）に示すように、プリント動作中であることを示すメッセージや進捗状況表示等を有するプリント中画面１３３ａ〔図４（ｂ）における１３３ｂは写真印刷時にプリント中画面〕を表示する。
【００５３】
このプリント中画面１３３ａには、プリント（コピー）の開始を指示する“コピースタート”ボタンの他、プリント（コピー）の中止を指示する“コピー中止”ボタンも表示される。上記プリント動作の進行中、“コピー中止“”ボタンが押下されると、制御部１５は、その時点で当該プリント（コピー）動作を中止するように制御する。
【００５４】
“コピー中止”ボタンが押下されずに指定部数のプリント（コピー）が終了すると、制御部１５は、表示／操作部１３の表示を初期画面１３１に戻す。
【００５５】
この初期画面１３１上で、“終了”ボタンが押下された場合、制御部１５は、印刷動作を終了し、メインメニュー表示画面（図示せず）に戻す。
【００５６】
また、“終了”ボタンが押下された場合、制御部１５は、課金装置１８との間の情報交信により残金があるかどうかをチェックし、残金があれば、課金装置１８に指示して当該残金をつり銭として払い出すように制御する。
【００５７】
このつり銭の払い出しに際しては、つり銭繰出部から繰出されたつり銭が、上述したつり銭搬送経路を通じてプリンタ１７のつり銭排出口１７３に排出される。
【００５８】
なお、課金装置１８では、上記プリント（コピー）動作に合わせて課金処理を行っている。この課金処理において、課金装置１８は、プリントの進行に合わせて、それまでに実行し終えたプリントのプリント代金を順次加算すると共に、事前入金された入金額と上記加算値とに基づき両者の差に当たる残金を逐次算出している。
【００５９】
制御部１５は、課金装置１８での上記課金処理によって求められた残金を表示／操作部１３のＵＩ画面上に表示する。
【００６０】
図５は、残金を表示するＵＩ画面（残金表示画面）１３５の一例を示す図である。特に、図５では、プリント終了時に、事前投入された金額分に一致するサービス料金の課金がなされることにより、残金が“０”円になった状態の残金表示例を示している。
【００６１】
また、上記初期画面１３１上で、“領収書”ボタンが押下された場合、制御部１５は、課金装置１８から、それまでの課金処理結果（何枚コピーしたか等の利用明細、利用料金、入金額、つり銭の額等の情報）を取得すると共に、該取得した課金処理結果を反映した領収書データを生成し、該領収書データをその印刷指示と共にレシートプリンタ１９に送出する。
【００６２】
レシートプリンタ１９は、上記印刷指示に従い、上記領収書データに基づき領収書を印刷し、該領収書を上述した領収書搬送経路を通じてプリンタ１７のレシート排出口１７４へと排出する。
【００６３】
また、ユーザが、この画像形成装置１００を利用して例えば写真印刷を行う場合、事前に課金装置１８の料金投入口にサービス料金（写真印刷代）に足る金銭を投入した後、メディアリーダ１２に記録メディア５（デジタルカメラで撮影した写真の写真画像データ等が記憶された各種の記録媒体）を装着したうえで、上記初期画面１３１上で“デジカメ”を選択し、次いで表示されるメディア種別の中から今回装着した記録メディアのメディア種別を指定する。
【００６４】
これにより、記録メディア５に記憶されているメディアデータがメディアリーダ１２によって読み込まれ、記憶部１４に記憶される。
【００６５】
ここで、記録メディア５には、圧縮された撮像解像度の写真画像データと、該写真画像データを間引きした低解像度のサムネイル画像とから成る写真ファイルが記憶されており、これらの情報が記憶部１４に記憶される。
【００６６】
その後、ユーザが上記初期画面１３１上で“プリント”を選択すると、メディアリーダ１２により読み込まれて記憶部１４に記憶されているメディアデータのうちのサムネイル画像データが読み出され、該サムネイル画像データを基に、ＵＩ画面（写真選択画面）上には、インデックス用の写真画像（見出し写真画像）が複数枚づつ表示（インデックス表示）される。
【００６７】
この写真選択画面上で、所望の写真の選択、編集指示、部数等を入力した後、“プリント（写真プリント）スタート”ボタンを押下することにより、写真印刷が開始される。
【００６８】
“写真プリントスタート”ボタンが押下されると、それまでのユーザ操作で選択された見出し写真画像に対応する写真画像データ（指定に応じて編集処理が施されたもの）がプリンタ１７に送られ、上記写真選択画面上で指定された部数の写真が印刷される。そして、印刷後の写真は、プリンタ１７の排出トレイ１７１上に排出される。
【００６９】
上記プリント（写真プリント）動作を行っている間、表示／操作部１３のＵＩ画面上には、例えば、図４（ｂ）に示すようなプリント中画面１３３ｂが表示される。
【００７０】
特に、この例のプリント中画面１３３ｂには、“プリントしています。”というメッセージと共に、全印刷ページのうちの何ページ目を印刷中かを数字で表わすプリント進捗ページ表示がなされ、更には、例えば、印刷対象のページの画像のうちの印刷完了した部分の画像が印刷の進行に合わせて次第に見えてくるイメージを表わすプリント進捗画像表示がなされる。更に、その下段には、全体の印刷時間のうちのどの程度の時間までプリントが終了したかをレベルメータで表わすプリント進捗レベル表示がなされる。
【００７１】
上記プリント動作の進行中、プリント中画面１３３ｂ上で“プリント（写真プリント）中止“”ボタンが押下されると、制御部１５は、その時点で当該写真のプリント動作を中止するように制御する。
【００７２】
“写真プリント中止”ボタンが押下されずに写真のプリントが終了すると、図３に示す初期画面１３１に戻る。
【００７３】
この初期画面１３１上では、上述したコピー印刷時と同様、“終了”ボタンを押下してプリントを終了できると共に、“領収書”ボタンを押下することにより、領収書を発行することができる。
【００７４】
このように、本発明の画像形成装置１００では、表示／操作部１３にＵＩ画面（初期画面１３１、プリント中画面１３３ａ，１３３ｂ、残金表示画面１３５、コピー操作画面、写真印刷操作画面等）を表示し、コピーまたは写真印刷を行なうために必要な一連のユーザ操作を当該ＵＩ画面を用いて受付けるようにしている。
【００７５】
上記ＵＩ画面を用いた一連のユーザ操作に対して、制御部１５は、その操作内容を解析し、該解析結果に従って、原稿読取部１１、メディアリーダ１２、表示／操作部１３、記憶部１４、プリンタ１７、課金装置１８、レシートプリンタ１９の各部を制御してコピーや写真の印刷動作、あるいはつり銭並びに領収書発行の動作を実現する。
【００７６】
特に、本発明の画像形成装置１００において、例えば、制御部１５内に設けられる排出用紙取り忘れ確認部１５１は、ＵＩ画面からの指示に基づく印刷動作中、該印刷動作またはＵＩ画面の表示制御に関する特定の動作条件を認識し、該動作条件に対応して、排出用紙検出センサ１７２の検出出力を用いて排出用紙の取り忘れがあるか否かを確認する処理を行う。
【００７７】
そして、上記確認処理によって排出用紙の取り忘れが確認された場合、制御部１５では、例えば、排出用紙の取り忘れがあり、その取り出しを促す内容のメッセージをＵＩ画面上に表示する等の方法で、排出用紙の取り忘れがある旨を報知する制御を行う。
【００７８】
図６は、排出用紙取り忘れ報知に係わる取り忘れ警告メッセージの表示例を示す図である。この例では、ＵＩ画面（取り忘れ警告表示画面）１３７上に“排出トレイをご確認下さい”という、取り忘れの警告と取り除くことを促すメッセージ内容を表示している。
【００７９】
以下、本発明に係わる画像形成装置１００における排出用紙の取り忘れ防止制御について種々の実施例を挙げて詳しく説明する。
【００８０】
なお、以下の各実施例に係わる画像形成装置１００の基本構成及び印刷動作は図１に示すものと同等であり、排出用紙の取り忘れ検知タイミングのみが異なるものである。
【００８１】
第１の実施例：
この実施例に係わる画像形成装置１００では、例えば、表示／操作部１３に表示されるＵＩ画面を用いてコピー枚数等の設定を経てコピー開始指示がなされた場合、上記コピー開始指示に基づき、制御部１５の制御下で、原稿読取部１１により読取られた原稿の画像データがプリンタ１７に転送され、該プリンタ１７により当該画像データに基づき指定部数だけ原稿画像を印刷するコピー動作が開始される。
【００８２】
そして、プリンタ１７による印刷後の用紙は、プリンタ１７の排出トレイ１７１に順次排出される。
【００８３】
排出トレイ１７１に印刷後の用紙が排出されると、排出トレイ１７１上部に設けた排出用紙検出センサ１７２が当該排出用紙があることを検出し、該検出結果（排出用紙検出）に応じた検出出力を発生する。
【００８４】
また、印刷後の用紙が排出されていない場合、あるいは排出された印刷後用紙（排出用紙）が排出トレイ１７１上から取り除かれた場合、排出用紙検出センサ１７２では、排出用紙が無いことを検出し、該検出結果（排出用紙未検出）に応じた検出出力を発生する。
【００８５】
なお、ここで述べた排出用紙検出センサ１７２による排出用紙検出動作は、以下の各実施例においても同様に行われる。
【００８６】
上述した印刷（コピー）動作中、制御部１５は、該印刷動作に関する特定動作条件として、最終プリント（最終印刷後の用紙）が排出されたこと、または最終プリントの処理が終了したことを認識し、これらの特定動作条件が認識されたタイミングに、排出用紙検出センサ１７２の検出出力を用いて排出用紙の取り忘れがあるか否かを確認する処理を行う。
【００８７】
図７は、本実施例に係わる画像形成装置１００の排出用紙取り忘れ防止制御動作を示すフローチャートである。
【００８８】
この実施例に係わる画像形成装置１００では、上記プリント（原稿コピー）動作中、制御部１５が当該プリントが終了したか否かを監視する（ステップＳ７０１）。
【００８９】
このステップＳ７０１の処理に関しては、例えば、プリント動作中、制御部１５とプリンタ１７との間で印刷進行状況に関する情報を送受し、制御部１５がプリンタ１７から受信した上記情報に基づき当該プリンタ１７で最終プリントの印刷処理が終了したことを検知してプリントが終了したことを認識する方法がある。
【００９０】
また、排出トレイ１７１の上流側に用紙通過センサを設け、最終印刷後の用紙が該用紙通過センサによってその通過を検出された時（最終印刷後の用紙の排出完了時）に、当該最終プリントが終了したとして認識する方法も考えられる。
【００９１】
これらの方法は、以下に述べる各実施例におけるプリント終了判別においても適用可能である。
【００９２】
上記プリント動作の監視中、プリントが終了したことが認識された場合（ステップＳ７０１ＹＥＳ）、制御部１５（排出用紙取り忘れ確認部１５１）は、排出用紙検出センサ１７２の検出出力を取り込み、排出用紙が検出されているか未検出かによって当該排出用紙の取り忘れがあるか否かを確認する処理を行う（ステップＳ７０２）。
【００９３】
ここで、排出用紙の取り忘れがなかった場合（ステップＳ７０２ＮＯ）、制御部１５は、表示／操作部１３のＵＩ画面をメインメニュー画面に切替える（ステップＳ７０５）。
【００９４】
これに対し、排出用紙の取り忘れがある場合（ステップＳ７０２ＹＥＳ）、制御部１５は、表示／操作部１３のＵＩ画面上に、排出用紙の取り忘れがある旨を表示する（ステップＳ７０３）。
【００９５】
排出用紙の取り忘れ表示の一例としては、図６に示す画面１３７を用いた表示例が考えられる。図６の例では、画面１３７上に“排出トレイをご確認下さい。”というメッセージを表示することで、ユーザに対して排出用紙が残っていることを報知し、かつその排出用紙を取り除くことを促すようにしている。
【００９６】
上記排出用紙の取り忘れ警告の表示後、制御部１５は、排出用紙検出センサ１７２の検出出力を監視し、排出トレイ１７１から排出用紙が取り除かれたか否かをチェックする（ステップＳ７０４）。
【００９７】
ここで、検出センサ１７２の検出出力が排出用紙未検出に対応する検出出力であった場合、制御部１５は、該検出出力から排出用紙が取り除かれたと認識し（ステップＳ７０４ＹＥＳ）、表示／操作部１３のＵＩ画面をメインメニュー画面に切替える（ステップＳ７０５）。
【００９８】
このように、第１の実施例では、特定動作条件として、最終プリントが排出されたこと、または最終プリントの処理が終了したことを認識し、該特定動作条件に対応して、排出用紙検出センサ１７２の検出出力に基づき排出用紙の取り忘れがあるか否かを確認し、取り忘れがある場合は、その旨を報知して排出用紙の取り出しをユーザに促すようにしている。
【００９９】
かかる制御によれば、プリント終了後、排出用紙を取り除かない限りプリント終了が行えない（メインメニュー画面上の“終了”ボタンを押下して終了することになっている。よって、当該メインメニュー画面が表示されないと終了できない。）ことから、ユーザによる排出用紙の取り忘れを減少させることができる。
【０１００】
第２の実施例：
第２の実施例に係わる画像形成装置１００では、プリント終了後、ユーザがＵＩ画面で“終了”ボタンを押下するのに対応して、制御部１５が、排出用紙検出センサ１７２の検知出力から排出用紙の取り忘れがあるか否かを確認する処理を行う。
【０１０１】
図８は、本実施例に係わる画像形成装置１００の排出用紙取り忘れ防止制御動作を示すフローチャートである。
【０１０２】
この実施例に係わる画像形成装置１００では、プリント動作（例えば、原稿コピー動作）中、制御部１５が当該プリントが終了したか否かを監視する（ステップＳ８０１）。
【０１０３】
ここで、プリントが終了したことが認識された場合（ステップＳ８０１ＹＥＳ）、制御部１５は、表示／操作部１３にＵＩ画面（初期画面１３１）を表示させる（ステップＳ８０２）。
【０１０４】
初期画面１３１は、例えば、図３に示したように、“終了”ボタン、“領収書”ボタンを有するものである。ユーザは、この初期画面１３１上で、“終了”ボタンを押下して終了を指示することができ、また、“領収書”ボタンを押下することで領収書発行を指示することができる。
【０１０５】
上記初期画面１３１の表示後、制御部１５は、該ＵＩ画面１３１上でのボタン操作に基づく指示入力を監視し（ステップＳ８０３）、終了若しくは領収書発行の指示があったかどうかをチェックする（ステップＳ８０４）。
【０１０６】
ここで、上記いずれかの指示入力があった場合（ステップＳ８０４ＹＥＳ）、制御部１５（排出用紙取り忘れ確認部１５１）は、排出用紙検出センサ１７２の検出出力を取り込み、排出用紙が検出されているか未検出かによって排出用紙の取り忘れがあるか否かを確認する処理を行う（ステップＳ８０５）。
【０１０７】
ここで、排出用紙の取り忘れがなかった場合（ステップＳ８０５ＮＯ）、制御部１５は、表示／操作部１３のＵＩ画面をメインメニュー画面に切替える（ステップＳ８０８）。
【０１０８】
これに対し、排出用紙の取り忘れがある場合（ステップＳ８０５ＹＥＳ）、制御部１５は、表示／操作部１３のＵＩ画面上に、排出用紙の取り忘れがある旨を例えば図６に示す画面１３７のような表示内容で表示する（ステップＳ８０６）。
【０１０９】
上記排出用紙の取り忘れ警告の表示後、制御部１５は、排出用紙検出センサ１７２の検出出力を監視し、排出トレイ１７１から排出用紙が取り除かれたか否かをチェックする（ステップＳ８０７）。
【０１１０】
ここで、検出センサ１７２の検出出力が排出用紙未検出に対応する検出出力であった場合、制御部１５は、この検出出力から排出用紙が取り除かれたと認識し（ステップＳ８０７ＹＥＳ）、表示／操作部１３のＵＩ画面をメインメニュー画面に切替える（ステップＳ８０８）。
【０１１１】
なお、上記ステップＳ８０４で、“領収書”ボタンが押下された場合、制御部１５は、上記ステップＳ８０５以降の処理（排出用紙取り忘れ防止制御）と並行して、領収書を発行する処理を行う。
【０１１２】
この場合、制御部１５は、上記“領収書”ボタンの押下を認識すると、課金装置１８から、それまでのプリントに係わる課金処理結果（何枚コピーしたか等の利用明細、利用料金、入金額、つり銭の額等の情報）を取得して該課金処理結果を反映した領収書データを生成し、該領収書データを印字するようにレシートプリンタ１９に指示する。
【０１１３】
レシートプリンタ１９は、上記印刷指示に基づき、上記領収書データを印字し、該印字後の領収書を領収書搬送経路を通じてプリンタ１７のレシート排出口１７４に排出する。
【０１１４】
このように、第２の実施例では、ＵＩ画面の表示制御に関する特定動作条件として、プリント終了後に表示されるＵＩ画面上で“終了”ボタンが押下されたことを認識し、該“終了”ボタンの押下に対応して、排出用紙検出センサ１７２の検出出力を用いて排出用紙の取り忘れがあるか否かを確認し、取り忘れがある場合は、その旨を報知して排出用紙の取り出しをユーザに促すようにしている。
【０１１５】
かかる制御によれば、プリント終了後、上記ＵＩ画面上でユーザが“終了”ボタンを押下した際に排出用紙が取り除かれていない場合にはその旨を報知して取り除くことを促すことができるため、ユーザが画像形成装置１００から離れる前に排出用紙の取り忘れを報知してその取り忘れを防ぐことができる。
【０１１６】
また、第２の実施例では、ＵＩ画面の表示制御に関する特定動作条件として、プリント終了後に表示されるＵＩ画面上で“領収書”ボタンが押下されたことを認識し、該“領収書”ボタンの押下に対応して、排出用紙検出センサ１７２の検出出力を用いて排出用紙の取り忘れがあるか否かを確認し、取り忘れがある場合は、その旨を報知して排出用紙の取り出しをユーザに促すようにしている。
【０１１７】
このように、プリント終了後、ＵＩ画面におけるユーザ指示〔“領収書”ボタン押下〕に応じて領収書を発行する際に、制御部１５が、排出用紙検出センサ１７２の検出出力から排出用紙の取り忘れがあるか否かを確認する処理によっても、上述した“終了”ボタン押下時に排出用紙の取り忘れを確認する場合と同様の作用効果が期待できる。
【０１１８】
第３の実施例：
第３の実施例に係わる画像形成装置１００では、プリント終了後、印刷メニュー画面（初期画面１３１）に戻されたことに対応して、制御部１５が、排出用紙検出センサ１７２の検知出力から排出用紙の取り忘れがあるか否かを確認する処理を行う。
【０１１９】
図９は、本実施例に係わる画像形成装置１００の排出用紙取り忘れ防止制御動作を示すフローチャートである。
【０１２０】
この実施例に係わる画像形成装置１００では、プリント動作（例えば、原稿コピー動作）中、制御部１５が当該プリントが終了したか否かを監視する（ステップＳ９０１）。
【０１２１】
ここで、プリントが終了したことが認識された場合（ステップＳ９０１ＹＥＳ）、制御部１５は、表示／操作部１３にＵＩ画面（初期画面１３１）を表示させる（ステップＳ９０２ａ）と共に、同タイミングに、排出用紙取り忘れ確認部１５１が、排出用紙検出センサ１７２の検出出力を取り込み、排出用紙が検出されているか否かによって排出用紙の取り忘れがあるか否かの確認処理を行う（ステップＳ９０２ｂ）。
【０１２２】
ここで、排出用紙の取り忘れがなかった場合（ステップＳ９０２ｂＮＯ）、制御部１５は、表示／操作部１３のＵＩ画面をメインメニュー画面に切替える（ステップＳ９０５）。
【０１２３】
これに対し、排出用紙の取り忘れがある場合（ステップＳ９０２ｂＹＥＳ）、制御部１５は、表示／操作部１３のＵＩ画面上に、排出用紙の取り忘れがある旨を例えば図６に示す画面１３７のような表示内容で表示する（ステップＳ９０３）。
【０１２４】
引き続き、制御部１５は、排出用紙検出センサ１７２の検出出力を監視し、排出トレイ１７１から排出用紙が取り除かれたか否かをチェックする（ステップＳ９０４）。
【０１２５】
ここで、検出センサ１７２の検出出力が排出用紙未検出に対応する検出出力であった場合、制御部１５は、この検出出力から排出用紙が取り除かれたと認識し（ステップＳ９０４ＹＥＳ）、表示／操作部１３のＵＩ画面をメインメニュー画面に切替える（ステップＳ９０５）。
【０１２６】
このように、第３の実施例では、ＵＩ画面の表示制御に関する特定動作条件として、プリント終了後、印刷メニュー画面（初期画面１３１）に戻されたことを認識し、該印刷メニュー画面に戻されたことに対応して、排出用紙検出センサ１７２の検出出力を用いて排出用紙の取り忘れがあるかないかを確認し、取り忘れがある場合は、その旨を報知して排出用紙の取り出しをユーザに促すようにしている。
【０１２７】
かかる制御によれば、プリント終了後、印刷メニュー画面が表示されるタイミングに排出用紙が取り除かれていない場合にはその旨の警告メッセージを表示して排出用紙を取り除くことをユーザに促すことができ、ユーザが画像形成装置１００から離れる前に排出用紙を取り除くよう促してその取り忘れを防ぐことができる。
【０１２８】
第４の実施例：
第４の実施例に係わる画像形成装置１００では、課金装置１８のコインキットへのユーザ投入金額が印刷サービスの利用に伴って減算され、残金が“０”円になったタイミングに、制御部１５が、排出用紙検出センサ１７２の検知出力から排出用紙の取り忘れがあるか否かを確認する処理を行う。
【０１２９】
図１０は、本実施例に係わる画像形成装置１００の排出用紙取り忘れ防止制御動作を示すフローチャートである。
【０１３０】
この実施例に係わる画像形成装置１００では、プリント動作（例えば、原稿コピー動作）中、制御部１５が当該プリントが終了したか否かを監視する（ステップＳ１００１）。
【０１３１】
ここで、プリントが終了したことが認識された場合（ステップＳ１００１ＹＥＳ）、制御部１５は、表示／操作部１３にＵＩ画面を表示し、当該画面上に、コインキットの現時点での残高を例えば図５に示す態様（残額表示画面１３５）で表示する（ステップＳ１００２）。
【０１３２】
なお、この残高表示に関し、課金装置１８では、印刷サービス開始前に投入された金額を保持すると共に、プリント開始後、例えば、１枚のプリントが行われる毎に、当該１枚のプリントに係わる利用料金を上記投入金額から減算しながら残額を逐次更新する課金処理を実施している。
【０１３３】
制御部１５は、上記課金処理によって算出される残額を課金装置１８から受け取り、プリント終了時点で表示されるＵＩ画面上に表示することにより、上記ステップＳ１００２の残高表示を実現する。
【０１３４】
ステップＳ１００２において、コインキットの残高を表示した後、制御部１５は、
課金装置１８から取得した上記課金処理結果に基づきコインキットの残高をチェックする（ステップＳ１００３）。
【０１３５】
ここで、残高がある場合（ステップＳ１００３：残金有り）、制御部１５は、表示／操作部１３のＵＩ画面をメインメニュー画面に切替える（ステップＳ１００７）。
【０１３６】
また、残高が“０”円であった場合（ステップＳ１００３：残金“０”円）、制御部１５（排出用紙取り忘れ確認部１５１）は、排出用紙検出センサ１７２の検出出力を取り込み、排出用紙が検出されているか未検出かによって排出用紙の取り忘れがあるか否かを確認する処理を行う（ステップＳ１００４）。
【０１３７】
ここで、排出用紙の取り忘れがなかった場合（ステップＳ１００４ＮＯ）、制御部１５は、表示／操作部１３のＵＩ画面をメインメニュー画面に切替える（ステップＳ１００７）。
【０１３８】
これに対し、排出用紙の取り忘れがある場合（ステップＳ１００４ＹＥＳ）、制御部１５は、表示／操作部１３のＵＩ画面上に、排出用紙の取り忘れがある旨を例えば図６に示す画面１３７のような表示内容で表示する（ステップＳ１００５）。
【０１３９】
上記排出用紙の取り忘れ警告の表示後、制御部１５は、排出用紙検出センサ１７２の検出出力を監視し、排出トレイ１７１から排出用紙が取り除かれたか否かをチェックする（ステップＳ１００６）。
【０１４０】
ここで、検出センサ１７２の検出出力が排出用紙未検出に対応する検出出力であった場合、制御部１５は、この検出出力から排出用紙が取り除かれたと認識し（ステップＳ１００６ＹＥＳ）、表示／操作部１３のＵＩ画面をメインメニュー画面に切替える（ステップＳ１００７）。
【０１４１】
このように、第４の実施例では、印刷動作またはＵＩ画面の表示制御に関する特定動作条件として、プリント終了後、課金装置１８のコインキットの残高が“０”円になったことを認識し、当該残高が“０”円になったことに対応して、排出用紙検出センサ１７２の検出出力に基づき排出用紙の取り忘れを確認し、取り忘れがある場合は、その旨を報知して排出用紙の取り出しをユーザに促すようにしている。
【０１４２】
かかる制御によれば、プリント終了後、残高が“０”円でそれ以上にプリントできない状態の時に排出用紙が取り除かれていない場合にその旨が報知される結果、ユーザが画像形成装置１００から離れる前に排出用紙を取り除くことを促してその取り忘れを防止することができる。
【０１４３】
第５の実施例：
第５の実施例に係わる画像形成装置１００では、プリント実行中、ＵＩ画面上で、“プリント中止”ボタンが押下された場合に、制御部１５が、排出用紙検出センサ１７２の検知出力から排出用紙の取り忘れがあるか否かを確認する処理を行う。
【０１４４】
図１１は、本実施例に係わる画像形成装置１００の排出用紙取り忘れ防止制御動作を示すフローチャートである。
【０１４５】
この実施例に係わる画像形成装置１００では、例えば、表示／操作部１３に表示されるＵＩ画面を用いてコピー枚数等の設定を経てコピー開始指示がなされると（ステップＳ１１０１ＹＥＳ）、制御部１５の制御下で、原稿読取部１１により読取られた原稿の画像データがプリンタ１７に与えられ、該プリンタ１７により当該画像データに基づき指定部数だけ原稿画像を印刷するコピー動作が開始される（ステップＳ１１０２）。
【０１４６】
このプリント（この例では、原稿コピー）実行中、制御部１５は、表示／操作部１３にプリント中画面１３３ａ（図４参照）を表示する。
【０１４７】
このプリント中画面１３５ａには、プリント実行中であることを示す情報、当該プリントの進捗状況の他、プリント（コピー）の中止を指示する“プリント（コピー）中止”ボタンも表示される。
【０１４８】
上記ステップ１１０２でのプリント動作の実行中、制御部１５は、プリント中画面１３３ａ上で“プリント中止”ボタンが押下されたか否かを監視する（ステップＳ１１０３）。
【０１４９】
ここで、プリント実行中に“プリント中止”ボタンが押下されない（ステップＳ１１０３ＮＯ）間、プリントが継続される。
【０１５０】
これに対し、プリント実行中に“プリント中止”ボタンが押下された場合（ステップＳ１１０３ＹＥＳ）、制御部１５（排出用紙取り忘れ確認部１５１）は、排出用紙検出センサ１７２の検出出力を取り込み、排出用紙が検出されているか否かによって排出用紙の取り忘れがあるか否かを確認する処理を行う（ステップＳ１１０４）。
【０１５１】
ここで、排出用紙の取り忘れがなかった場合（ステップＳ１１０４ＮＯ）、制御部１５は、表示／操作部１３のＵＩ画面をメインメニュー画面に切替える（ステップＳ１１０７）。
【０１５２】
これに対し、排出用紙の取り忘れがある場合（ステップＳ１１０４ＹＥＳ）、制御部１５は、表示／操作部１３のＵＩ画面上に、排出用紙の取り忘れがある旨を例えば図６に示すような表示内容で表示する（ステップＳ１１０５）。
【０１５３】
上記排出用紙の取り忘れ警告の表示後、制御部１５は、排出用紙検出センサ１７２の検出出力を監視し、排出トレイ１７１から排出用紙が取り除かれたか否かをチェックする（ステップＳ１１０６）。
【０１５４】
ここで、検出センサ１７２の検出出力が排出用紙未検出に対応する検出出力であった場合、制御部１５は、この検出出力から排出用紙が取り除かれたと認識し（ステップＳ１１０６ＹＥＳ）、表示／操作部１３のＵＩ画面をメインメニュー画面に切替える（ステップＳ１１０７）。
【０１５５】
このように、第５の実施例では、ＵＩ画面の表示制御に関する特定動作条件として、プリント実行中、ＵＩ画面上で、“プリント中止”ボタンが押下されたことを認識し、該“プリント中止”ボタンの押下に対応して、排出用紙検出センサ１７２の検出出力を用いて排出用紙の取り忘れがあるか否かを確認し、取り忘れがある場合は、その旨を報知して排出用紙の取り出しをユーザに促すようにしている。
【０１５６】
かかる制御によれば、プリント中にユーザの都合で“プリント中止”ボタンが押下された時に排出用紙が取り除かれていない場合にその旨が報知されるため、ユーザは自己の都合でプリントを中止した時点で排出用紙を取り除く作業を行うことができ、画像形成装置１０を離れる前に排出用紙を取り出す機会を増やして当該排出用紙の取り忘れを減少させることができる。
【０１５７】
第６の実施例：
第６の実施例に係わる画像形成装置１００では、メディアリーダ１２に装着された記録メディア５から該メディアリーダ１２によって記憶部１４へと読込まれたメディアデータを基に、ＵＩ画面からの指示に従って写真印刷を実行する。
【０１５８】
そして、この写真印刷が終了した後、上記記録メディア５がメディアリーダ１２から抜かれたタイミングに、制御部１５が、排出用紙検出センサ１７２の検出知出力から排出用紙の取り忘れがあるか否かを確認する処理を行う。
【０１５９】
なお、メディアリーダ１２は、例えば、自動開閉カバーが開放されている状態で、メディア着脱口〔図２（ａ）参照〕から記録メディア５を差し込んで該ユニット内にあるコネクタと記録メディア５の電極部とが結合（接続）される位置まで押し込んで該記録メディア５を装着すると共に、該装着状態から逆方向に記録メディア５を抜出すことができるメディア着脱機構を備えている。
【０１６０】
上述した装着状態において、制御部１５は、記録メディア５の電極部とユニット内のコネクタとの接続を通してメディアデータを読取ることができる。
【０１６１】
この実施例に係わる画像形成装置１００では、写真印刷を行うに当たって、まず、ユーザが持ち込んだ記録メディア５をメディアリーダ１２に装着した後、初期画面１３１上で“デジカメ”を選択し、その後にＵＩ画面に表示されるメディア種別の中から今回差し込んだメディアの種別を指定することより、記録メディア５に記憶されているメディアデータ（写真画像データ、サムネイル画像データ等）をメディアリーダ１２により読み込ませ、記憶部１４に記憶させる。
【０１６２】
その後、上記初期画面１３１上で、“プリント”が選択されると、記憶部１４から上記メディアデータのうちのサムネイル画像データが読み出され、該サムネイル画像データに基づく選択用写真画像が写真印刷設定画面（図示せず）上にインデックス表示される。
【０１６３】
ユーザは、この写真印刷設定画面で、上記選択用写真画像の中から所望の写真を選択すると共に、所望の印刷部数、編集条件等の指定を行った後、プリント（写真プリント）スタートボタンを押下することで写真印刷を開始させることができる。
【０１６４】
上記プリントスタートボタンが押下されると、制御部１５の制御下で、記憶部１４内の写真画像データの中から上記ＵＩ画面（写真印刷設定画面）で選択された写真画像に対応する写真画像データが読み出されてプリンタ１７に転送され、該プリンタ１７により当該写真画像データに基づく指定部数の写真印刷が行われる。
【０１６５】
このような写真印刷動作を対象にして、制御部１５は、以下のような排出用紙取り忘れ防止制御を行う。
【０１６６】
図１２は、本実施例に係わる画像形成装置１００の排出用紙取り忘れ防止制御動作を示すフローチャートである。
【０１６７】
図１２に示すように、この実施例に係わる画像形成装置１００では、上述したＵＩ画面（写真印刷設定画面）上での写真印刷設定操作を経てなされるプリント開始指示（プリントスタートボタン押下）によりプリンタ１７での写真プリントが開始された後、制御部１５が、当該プリントが終了したか否かを監視している（ステップＳ１２０１）。
【０１６８】
ここで、写真プリントが終了した場合（ステップＳ１２０１ＹＥＳ）、次いで、制御部１５は、メディアリーダ１２から記録メディア５が抜かれたか否かをチェックする（ステップＳ１２０２）。
【０１６９】
なお、このチェックにあたっては、メディアリーダ１２に例えば発光素子と受光素子から成る光学的センサを設けたり、あるいは機械的なスイッチを設け、これら光学的センサあるいは機械的スイッチを用いてメディアリーダ１２に対する記録メディア５の着脱（差込み／抜き出し）状態を認識する方法がある。
【０１７０】
また、制御部１５から記録メディア５にアクセスし、アクセスができたか否かによって着脱を認識する方法もある。
【０１７１】
ここで、記録メディア５が抜かれていない間（ステップＳ１２０２）は上記チェックを継続し、該チェックによって記録メディア５が抜かれたことが認識された場合（ステップＳ１２０２ＹＥＳ）、制御部１５（排出用紙取り忘れ確認部１５１）は、排出用紙検出センサ１７２の検出出力を取り込み、排出用紙が検出されているか否かによって当該排出用紙の取り忘れがあるか否かを確認する処理を行う（ステップＳ１２０３）。
【０１７２】
ここで、排出用紙の取り忘れがなかった場合（ステップＳ１２０３ＮＯ）、制御部１５は、表示／操作部１３のＵＩ画面をメインメニュー画面に切替える（ステップＳ１２０６）。
【０１７３】
これに対し、排出用紙の取り忘れがある場合（ステップＳ１２０３ＹＥＳ）、制御部１５は、表示／操作部１３のＵＩ画面上に、排出用紙の取り忘れがある旨を例えば図６に示す画面１３７のような表示内容で表示する（ステップＳ１２０４）。
【０１７４】
上記排出用紙の取り忘れ警告の表示後、制御部１５は、排出用紙検出センサ１７２の検出出力を監視し、排出トレイ１７１から排出用紙が取り除かれたか否かをチェックする（ステップＳ１２０５）。
【０１７５】
ここで、排出用紙検出センサ１７２の検出出力が排出用紙未検出に対応する検出出力であった場合、制御部１５は、この検出出力から排出用紙が取り除かれたと認識し（ステップＳ１２０５ＹＥＳ）、表示／操作部１３のＵＩ画面をメインメニュー画面に切替える（ステップＳ１２０６）。
【０１７６】
このように、第６の実施例では、ＵＩ画面上での印刷開始操作後における特定の動作条件として、プリント終了後、記録メディア５がメディアリーダ１２から抜かれたか否かを認識し、該記録メディア５が抜かれたことに対応して、排出用紙検出センサ１７２の検出出力を用いて排出用紙の取り忘れがあるか否かを確認し、取り忘れがある場合は、その旨を報知して排出用紙の取り出しをユーザに促すようにしている。
【０１７７】
かかる制御によれば、ユーザが記録メディア５を抜き取り、プリント終了の準備に入った段階で排出用紙が取り除かれていない場合にその旨が報知されて取り出しが促されるため、排出用紙の取り忘れを大幅に減少させることができる。
【０１７８】
なお、本実施例は、上述した写真印刷に限らず、記録メディアを差込み、ＵＩ画面からの指示に基づき上記記録メディアのメディアデータをプリントする、いわゆるMedia to Print サービス機能を有する各種画像形成装置に適用可能である。
【０１７９】
第７の実施例：
第７の実施例に係わる画像形成装置１００は、図１に示す各機能ブロックから成る構成において、当該機能ブロックの１つであるプリンタ１７が、図２に示す如く、排出トレイ１７１に付設されるつり銭排出口１７３及びレシート排出口１７４を備えている。
【０１８０】
また、他の機能ブロックである課金装置１８は、そのつり銭排出経路が上記プリンタ１７のつり銭排出口１７３に連結され、更に、レシートプリンタ１９は、レシート排出経路を通じて上記プリンタ１７のレシート排出口１７４に連結されている。
【０１８１】
これにより、本実施例の画像形成装置１００では、プリント終了後、課金装置１８の課金処理によりつり銭の払い出しが必要な場合には、該つり銭をプリンタ１７のつり銭排出口１７３に排出し、また、プリント終了後、ＵＩ画面上で領収書発行の指示があった場合には、レシートプリンタ１９で印字した領収書をプリンタ１７のレシート排出口１７４に排出できる。
【０１８２】
本実施例の画像形成装置１００におけるつり銭及びレシート排出処理動作を図１３に示すフローチャートを参照して説明する。
【０１８３】
なお、本実施例の画像形成装置１００も、印刷動作については上記各実施例と同様に実行できるものである。
【０１８４】
この実施例に係わる画像形成装置１００では、プリント動作（例えば、原稿コピー動作）中、制御部１５が当該プリントが終了したか否かを監視する（ステップＳ１３０１）。
【０１８５】
ここで、プリントが終了したことが認識された場合（ステップＳ１３０１ＹＥＳ）、制御部１５は、表示／操作部１３にＵＩ画面（初期画面１３１：図３参照）を表示させる（ステップＳ１３０２）。
【０１８６】
上記初期画面１３１の表示後、制御部１５は、該初期画面１３１上でのボタン操作に基づく指示入力を監視し（ステップＳ１３０３）、終了の指示（“終了”ボタン押下）若しくは領収書発行の指示（“領収書”ボタン押下）のいずれが行われたかをチェックする（ステップＳ１３０４）。
【０１８７】
ここで、例えば、初期画面１３１上の“終了”ボタンの押下により、終了の指示入力があった場合（ステップＳ１３０４：終了）、制御部１５は、課金装置１８と交信してつり銭があるかどうかをチェックする（ステップＳ１３１１）。
【０１８８】
なお、課金装置１８では、プリント動作中、該プリントの進行に合わせて、それまでに実行し終えたプリント枚数に応じたプリント代金を順次加算すると共に、コインキットに事前入金された入金額から、上記加算値（プリント枚数に応じた課金分）を減算して両者の差に当たる残金を逐次算出している。
【０１８９】
上記ステップＳ１３１１において、制御部１５は、プリント終了時に課金装置１８から上記残金額情報を受信してつり銭があるか否かをチェックする。
【０１９０】
ここで、つり銭が無い場合（ステップＳ１３１１ＮＯ）、制御部１５は、表示／操作部１３のＵＩ画面をメインメニュー画面に切替える（ステップＳ１３３１）。
【０１９１】
また、つり銭がある場合（ステップＳ１３１１ＹＥＳ）、制御部１５は、課金装置１８につり銭の払い出しを指示する。課金装置１８は、上記払い出し指示に基づき、プリント終了時の残金（つり銭）をつり銭排出経路を経てプリンタ１７のつり銭排出口１７３へと排出する（ステップＳ１３１２）。
【０１９２】
一方、上記ステップ１３０４での指示入力チェックにおいて、初期画面１３１上の“領収書”ボタンの押下により、領収書発行の指示入力があった場合（ステップＳ１３０４：領収書発行）、制御部１５は、該領収書発行指示に基づき、それまでのプリントに係わる課金処理結果（何枚コピーしたか等の利用明細、利用料金、入金額、つり銭の額等の情報）を課金装置１８から取得して当該課金処理結果を反映した領収書データを生成し、該領収書データの印刷をレシートプリンタ１９に指示する。
【０１９３】
レシートプリンタ１９は、制御部１５からの印刷指示に基づき、該印刷指示と共に受け取った上記領収書データを用いて領収書を印字し（ステップＳ１３２１）、該印字後の領収書をレシート搬送経路を通じてプリンタ１７のレシート排出口１７４へと排出する（ステップＳ１３２２）。
【０１９４】
上記ステップ１３１２でのつり銭排出後、並びに上記ステップＳ１２２２での領収書排出後、制御部１５は、表示／操作部１３のＵＩ画面をメインメニュー画面に戻す（ステップＳ１３３１）。
【０１９５】
このように、第７の実施例では、プリンタ１７の排出トレイ１７１につり銭排出口１７３とレシート排出口１７４を設け、プリント終了後、排出トレイ１７１上に排出用紙が排出されている状態で、つり銭がある場合には該つり銭を上記つり銭排出口１７３に排出し、また、領収書発行の指示があった場合には、レシートプリンタ１９で印字した領収書を上記レシート排出口１７４に排出するようにしている。
【０１９６】
かかる構成によれば、プリント終了後、つり銭がある場合には該つり銭が排出トレイ１７１に排出されるため、プリント終了後に排出トレイ上の排出用紙を取りに行く時にユーザの注意がつり銭に向くため、当該つり銭の取り忘れを防止することができる。
【０１９７】
また、本実施例では、プリント終了後、領収書発行指示があった場合には、該領収書が排出トレイ１７１に排出されるため、上述したつり銭の排出時と同様、ユーザが排出トレイ１７１上の排出用紙を取りに行く時にそばにある領収書に注意が向くため、当該領収書の取り忘れを防止することができる。
【０１９８】
なお、本実施例では、排出トレイ１７１につり銭排出口１７３とレシート排出口１７４の両方を設けているが、いずれか一方のみを備えた構成であっても良い。
【０１９９】
この他、本発明は、上記し、且つ図面に示す実施例に限定することなく、その要旨を変更しない範囲内で適宜変形して実施できるものである。
【０２００】
例えば、上記第１〜第５の各実施例では、プリント動作として、原稿コピーの場合の排出用紙取り忘れ防止制御の例を挙げているが、この制御は、写真プリント時においても適用可能である。
【０２０１】
また、上記各実施例では、表示機能並びに入力機能を有する操作画面上での操作に基づき印刷（原稿コピーあるいは写真プリント）を行うようにしているが、こうした操作画面以外の入力機能を用いて印刷を行うものにも適用可能である。
【０２０２】
また、上記各実施例では、本発明に係わる画像形成装置として、コンビニエンスストア等に設置される画像形成装置への適用例について述べているが、課金装置１８及びレシートプリンタ１９に関連する処理を除けば、一般のオフィスや家庭で使用するものなど、ＵＩ画面からの指示に基づき印刷を行って印刷後の用紙を排出トレイ１７１に排出する画像形成装置全般に適用可能である。
【産業上の利用可能性】
【０２０３】
本発明は、ＵＩ画面からの操作に基づき用紙に画像を印刷して排出トレイに排出する画像形成装置に適用可能であって、排出トレイに排出された排出用紙の取り忘れ防止に有用である。
【図面の簡単な説明】
【０２０４】
【図１】本発明に係る画像形成装置の全体構成を示すブロック図。
【図２】本発明に係わる画像形成装置の外観構成を示す概念図。
【図３】初期画面の表示例を示す図。
【図４】プリント中画面の表示例を示す図。
【図５】残金表示画面の表示例を示す図。
【図６】排出用紙取り忘れ警告メッセージの表示例を示す図。
【図７】第１の実施例に係わる排出用紙取り忘れ防止制御動作を示すフローチャート。
【図８】第２の実施例に係わる排出用紙取り忘れ防止制御動作を示すフローチャート。
【図９】第３の実施例に係わる排出用紙取り忘れ防止制御動作を示すフローチャート。
【図１０】第４の実施例に係わる排出用紙取り忘れ防止制御動作を示すフローチャート。
【図１１】第５の実施例に係わる排出用紙取り忘れ防止制御動作を示すフローチャート。
【図１２】第６の実施例に係わる排出用紙取り忘れ防止制御動作を示すフローチャート。
【図１３】第７の実施例に係わる排出用紙取り忘れ防止制御動作を示すフローチャート。
【符号の説明】
【０２０５】
１００…画像形成装置、５…記録メディア１１…原稿読取部、１２…記録媒体読取部（メディアリーダ）、１３…表示／操作部、１３１…初期画面、１３３ａ，１３３ｂ…プリント中画面、１３７…取り忘れ警告メッセージ表示画面、１４…記憶部、１５…制御部、１５１…排出用紙取り忘れ確認部、１７…プリンタ、１７１…排出トレイ、１７２…排出用紙検出センサ、１７３…つり銭排出口、１７４…レシート排出口、１８…課金装置、１９…レシートプリンタ、Ｕ１…制御ユニット、Ｕ２…記録媒体読取ユニット、Ｕ３…印刷ユニット、Ｕ４…課金処理ユニット
【図１】
2005082339.tif 000003
【図２】
2005082339.tif 000004
【図３】
2005082339.tif 000005
【図４】
2005082339.tif 000006
【図５】
2005082339.tif 000007
【図６】
2005082339.tif 000008
【図７】
2005082339.tif 000009
【図８】
2005082339.tif 000010
【図９】
2005082339.tif 000011
【図１０】
2005082339.tif 000012
【図１１】
2005082339.tif 000013
【図１２】
2005082339.tif 000014
【図１３】
2005082339.tif 000015